(57)【特許請求の範囲】
【請求項１】
１対の差動入力信号を入力して１対の差動出力信号を出力する電力分配回路であって、
前記１対の差動入力信号の正相信号を入力して差動信号を出力する第１の不平衡平衡変換回路と、
前記１対の差動入力信号の逆相信号を入力して差動信号を出力する第２の不平衡平衡変換回路と、
前記第１及び第２の各不平衡平衡変換回路から出力される２対の差動信号を、前記正相信号及び前記逆相信号ごとに加算して前記１対の差動出力信号を出力する加算回路と、を備える電力分配回路であって、
前記第１の不平衡平衡変換回路及び前記第２の不平衡平衡変換回路は、伝送線路を用いた第４の不平衡平衡変換回路で構成され、
前記第４の不平衡平衡変換回路は、
前記１対の差動入力信号が各入力端子から入力され、前記各入力端子の中点が接地された入力伝送線路と、
それぞれ前記入力伝送線路に結合され、それぞれ１対の差動信号を出力する第１および第２の出力伝送線路と、を有する、
電力分配回路。
【請求項２】
１対の差動入力信号を入力して１対の差動出力信号を出力する電力分配回路であって、
前記１対の差動入力信号の正相信号を入力して差動信号を出力する第１の不平衡平衡変換回路と、
前記１対の差動入力信号の逆相信号を入力して差動信号を出力する第２の不平衡平衡変換回路と、
前記第１及び第２の各不平衡平衡変換回路から出力される２対の差動信号を、前記正相信号及び前記逆相信号ごとに加算して前記１対の差動出力信号を出力する加算回路と、を備える電力分配回路であって、
前記第１の不平衡平衡変換回路、前記第２の不平衡平衡変換回路及び前記加算回路は、伝送線路を用いた第５の不平衡平衡変換回路で構成され、
前記第５の不平衡平衡変換回路は、
前記１対の差動入力信号の正相信号が入力される第１の入力伝送線路と、
前記１対の差動入力信号の逆相信号が入力される第２の入力伝送線路と、
前記第１の入力伝送線路および前記第２の入力伝送線路の両方に結合されて各出力端子から１対の差動信号を出力し、前記各出力端子の中点が接地された出力伝送線路と、を有する、
電力分配回路。
【請求項３】
請求項１または２に記載の電力分配回路であって、
不平衡入力信号を１対の差動信号に変換し、１対の差動入力信号として出力する第３の不平衡平衡変換回路と、
前記第３の不平衡平衡変換回路から出力される前記１対の差動入力信号の正相信号を増幅する第１の増幅器と、
前記第３の不平衡平衡変換回路から出力される前記１対の差動入力信号の逆相信号を増幅する第２の増幅器と、を更に備え、
前記第１の不平衡平衡変換回路は、前記第１の増幅器により増幅された前記正相信号を入力し、
前記第２の不平衡平衡変換回路は、前記第２の増幅器により増幅された前記逆相信号を入力する電力分配回路。
【請求項４】
請求項１に記載の電力分配回路であって、
前記第４の不平衡平衡変換回路は、伝送線路を用いて構成され、前記１対の差動入力信号の各入力端子から接地点までの前記伝送線路の長さの半分の長さが、前記２対の差動出力信号の各出力端子から接地点までの伝送線路の長さとなるように、１本の入力伝送線路に対し、２本の出力伝送線路を結合させた電力分配回路。
【請求項５】
請求項２に記載の電力分配回路であって、
前記第５の不平衡平衡変換回路は、伝送線路を用いて構成され、前記１対の差動入力信号の各入力端子から接地点までの前記伝送線路の長さの半分の長さが、前記１対の差動出力信号の各出力端子から接地点までの伝送線路の長さとなるように、２本の入力伝送線路に対し、１本の出力伝送線路を結合させた電力分配回路。
【請求項６】
請求項１又は２に記載の電力分配回路であって、
前記第１及び第２の不平衡平衡変換回路の無入力となる入力端子と接地との間に、コンデンサを介在させ、前記コンデンサと並列に定電圧電源を設ける電力分配回路。
【請求項７】
請求項３に記載の電力分配回路であって、
前記第３の不平衡平衡変換回路の正相信号及び逆相信号の各出力端子の中間点と接地との間に、コンデンサを介在させ、前記コンデンサと並列に定電圧電源を設ける電力分配回路。
【請求項８】
請求項１または２に記載の電力分配回路であって、
前記加算回路は、伝送線路を用いて構成され、同じ長さを持つ前記伝送線路において２つの正相信号及び２つの逆相信号の同相成分の入力信号を加算し、前記伝送線路の中点から前記１対の差動出力信号を取り出す電力分配回路。
【請求項９】
請求項１または２に記載の電力分配回路であって、
前記加算回路は、伝送線路を用いて構成され、同じ長さを持つ前記伝送線路において２つの正相信号及び２つの逆相信号の異相成分の入力信号を加算し、前記伝送線路から前記１対の差動出力信号を取り出す電力分配回路。
【発明の詳細な説明】
【技術分野】
【０００１】
本発明は、差動入力信号を入力し１対の差動出力信号を出力する電力分配回路に関する。
【背景技術】
【０００２】
近年、ミリ波帯域信号を使用するＷｉＧｉｇ（Wireless Gigabit）規格の様な高速伝送の無線通信規格においては、無線通信部の回路特性の劣化（例えば誤差）が通信性能に与える影響が大きくなってきている。
【０００３】
このため、アンテナからの入力信号を無線通信部において不平衡平衡変換する際、不平衡平衡変換によって出力される差動出力信号間の誤差について高い精度が要求され、誤差を低減する回路方式が重要となってきている。
【０００４】
図１０は、従来の一般的な不平衡平衡変換する回路を用いた差動増幅回路の構成を示す回路構成図である。差動増幅回路は、初段アンプＡＭＰ１１、それぞれ並列接続された次段アンプＡＭＰ１２Ａ，１２Ｂ、及び、トランス２０を含む構成である。差動増幅回路は、初段アンプＡＭＰ１１及び次段アンプＡＭＰ１２Ａ，ＡＭＰ１２Ｂを用いた増幅器によって、不平衡入力信号を増幅する。更に、差動増幅回路は、不平衡入力信号を増幅した後、不平衡平衡変換のためのトランス２０を用いて、増幅器の出力信号を差動出力信号（平衡出力信号）に変換して出力する。
【０００５】
図１０の差動増幅回路においては、トランス２０において不平衡平衡変換するため、トランス２０単体の差動出力信号間の誤差が、差動出力信号を出力する差動増幅回路の誤差として出力される。
【０００６】
図１１（ａ）は、従来の差動増幅回路におけるトランス２０に基づく差動出力信号間の誤差について説明するための説明図である。図１１（ｂ）は、入力信号振幅Ｖｉｎを示すための説明図である。図１１（ｃ）は、出力信号振幅Ｖｏｕｔｐ，Ｖｏｕｔｎ及び位相θ１，θ２を示すための説明図である。図１１（ａ）において、トランス２０の差動出力信号は、数式（１）により表される。
【０００７】
【数１】
0005828069.tif 000002
【０００８】
数式（１）において、パラメータｋは入力信号振幅Ｖｉｎと出力信号振幅Ｖｏｕｔｎとの結合係数（ｋ≦１）、パラメータαは出力信号振幅Ｖｏｕｔｐ，Ｖｏｕｔｎのゲイン誤差（α≦１）である。更に、数式（１）において、パラメータθ１は出力信号振幅Ｖｏｕｔｐの基準位相０°［度］からの位相、パラメータθ２は出力信号振幅Ｖｏｕｔｎの基準位相０°［度］の逆位相に相当する反転位相１８０°［度］からの位相である。
【０００９】
理想的なトランス（以下、「理想トランス」という）の差動出力信号においては、入力信号振幅をＶｉｎ、出力信号振幅をＶｏｕｔｐ、Ｖｏｕｔｎとすると、入出力信号間のゲイン差は、結合係数ｋ＝（Ｖｏｕｔｐ−Ｖｏｕｔｎ）／Ｖｉｎとして表される。更に、入出力信号間の位相差は、正相信号端（Ｖｉｎｐ）ではθ１＝９０°、逆相信号端（Ｖｉｎｎ）ではθ２＝９０°と逆位相となる。従って、理想トランスの差動出力信号間の２つの出力信号の対向角の差となる位相誤差Δθは、Δθ＝θ１−θ２＝０°となる。
【００１０】
しかし、実際のトランスにおいては、差動出力信号間の配線が完全な対称配置とはならない。このため、差動出力信号間のゲイン誤差α＝Ｖｏｕｔｐ／Ｖｏｕｔｎが発生する。更に、差動出力信号間の配線が完全な対称配置とならないために、トランスの出力側インダクタンスが実抵抗成分を持つ。これにより、トランスの差動出力信号の位相が、トランスの出力側における中点のＧＮＤ接地点を起点に対称に９０°シフトせず、正相及び逆相においてそれぞれ異なる値となる。従って、実際のトランスにおいては、差動出力信号間の位相誤差Δθとして、Δθ＝θ１−θ２≠０°が発生する。
【００１１】
即ち、実際のトランスにおいては、例えば差動出力信号間のゲイン誤差α＝２ｄＢ、位相誤差Δθ＝１０°が発生する。この回路特性は、図１０の差動出力信号の誤差として発生する。また、この回路特性は、例えばゲイン誤差α≦１ｄＢ、位相誤差Δθ≦５°を仕様とする様な、高精度を要求する無線通信規格（例えばＷｉＧｉｇ）においては満足されず、無線通信品質の劣化が生じることになる。
【００１２】
不平衡平衡変換において生じる差動出力信号間の誤差を低減するための回路が従来から知られている（例えば特許文献１参照）。特許文献１の可変電力分配器について図１２（ａ）を参照して説明する。図１２（ａ）は、従来の不平衡平衡変換において生じる差動出力信号間の誤差を低減するための可変電力分配器の構成を示す回路構成図である。
【００１３】
図１２（ａ）の可変電力分配器は、ハイブリッド回路（ＨＹＢ）１０６、２つの増幅器１０１、２つの可変ゲイン回路１０７、２つの可変位相回路１０８、及びハイブリッド回路１０９を含む構成である。
【００１４】
ハイブリッド回路１０６は、可変電力分配器に入力された不平衡信号を２分配し、位相をずらして出力する。２つの増幅器１０１は、ハイブリット回路（ＨＹＢ）１０６からの２つの出力信号を増幅する。２つの可変ゲイン回路１０７は、それぞれ接続されている各増幅器１０１からの出力信号のゲインを調整する。
【００１５】
２つの可変位相回路１０８は、それぞれ接続されている各可変ゲイン回路１０７からの出力信号の位相を調整する。ハイブリッド回路１０９は、２つの可変位相回路１０８から出力される２つの出力信号を再度加算する。可変電力分配器は、ハイブリッド回路１０９の加算によって平衡変換された２つの出力信号を出力する。
【００１６】
また、可変電力分配器は、誤差検出回路１１０及び誤差制御回路１１１を更に含む構成である。誤差検出回路１１０は、ハイブリッド回路１０９の加算によって平衡変換された２つの出力信号間の位相及びゲイン誤差を検出する。誤差制御回路１１１は、誤差検出回路１１０の検出結果に応じて、可変ゲイン回路１０７及び可変位相回路１０８におけるゲイン及び位相を調整する。
【００１７】
従って、ハイブリッド回路１０９から出力される２つの出力信号は、ゲイン及び位相の各誤差を無くすために、可変ゲイン回路１０７及び可変位相回路１０８において誤差成分がフィードバックされることによって補正される。これにより、可変電力分配器は、ゲイン及び位相の誤差を低減した出力信号を得ることができる。
【００１８】
また、従来の他の文献として、特許文献２の平衡変換回路が知られている。図１２（ｂ）は、従来の不平衡平衡変換において生じる差動出力信号間の誤差を低減するための平衡変換回路の構成を示す回路構成図である。
【００１９】
平衡変換回路は、増幅器２０５、２つのエミッタフォロア回路２０９を含む構成である。増幅器２０５は、入力された不平衡入力信号を差動信号に変換して出力する。２つのエミッタフォロア回路２０９は、増幅器２０５から出力された差動信号を調整可能な、異なる負荷抵抗を有し、増幅器２０５から出力された差動信号をそれぞれ増幅して出力する。
【００２０】
平衡変換回路は、２つのエミッタフォロア回路２０９に設けられた負荷抵抗の抵抗値を調整することによって、増幅器２０５の出力段に設けられたトランジスタ間において生じた差動出力信号の振幅誤差を調整できる。また、負荷抵抗の抵抗値を調節すると、負荷抵抗に内在する寄生容量値も変動することになる。従って、寄生容量値を変動させることで、位相調整できる。平衡変換回路は、２つのエミッタフォロア回路２０９から出力される差動出力信号間の振幅及び位相を調整し、誤差を低減した出力を得ることができる。
【先行技術文献】
【特許文献】
【００２１】
【特許文献１】特許第４１６６７８７号公報
【特許文献２】特公平８−２１８２０号公報
【発明の概要】
【発明が解決しようとする課題】
【００２２】
しかしながら、上述した特許文献１の可変電力分配器には、次の様な問題があった。即ち、２つの差動出力信号間のゲイン及び位相の各誤差を調整する方法においては、図１２（ａ）に示す様な回路が必要であった。具体的には、２つの差動出力信号間の誤差を検出するための誤差検出回路と、検出された誤差をフィードバックして可変ゲイン回路及び可変位相回路を制御するための誤差制御回路とが必要となる。このため、上述した特許文献１の可変電力分配器においては、回路規模及び消費電流が増大した。
【００２３】
また、図１２（ｂ）に示す平衡変換回路においては、図１２（ａ）の可変電力分配器の回路構成と比べ、差動出力信号間の誤差を検出する誤差検出回路を省略することはできる。しかしながら、差動出力信号間の誤差を調整するためのゲイン及び位相調整回路を差動出力信号の出力端に追加し、差動出力信号間の誤差が低減するために事前に初期調整をしておく必要が生じる。更に、差動出力信号を負荷抵抗の抵抗値の増減によって調整するため、抵抗を追加したことにより、増幅器の無線性能として、例えば、ゲイン特性又は飽和特性を劣化させる問題があった。
【００２４】
そこで、本発明は、上述した従来の事情に鑑みてなされたものであり、１対の差動入力信号を入力し１対の差動出力信号を出力する際、回路規模及び消費電流を増大させることなく、また、無線性能を劣化させることなく、差動出力信号間の回路誤差を低減する電力分配回路を提供することを目的とする。
【課題を解決するための手段】
【００２５】
本発明は、１対の差動入力信号を入力して１対の差動出力信号を出力する電力分配回路であって、前記１対の差動入力信号の正相信号を入力して差動信号を出力する第１の不平衡平衡変換回路と、前記１対の差動入力信号の逆相信号を入力して差動信号を出力する第２の不平衡平衡変換回路と、前記第１及び第２の各不平衡平衡変換回路から出力される２対の差動信号を、前記正相信号及び前記逆相信号ごとに加算して前記１対の差動出力信号を出力する加算回路と、を備える電力分配回路であって、前記第１の不平衡平衡変換回路及び前記第２の不平衡平衡変換回路は、伝送線路を用いた第４の不平衡平衡変換回路で構成され、前記第４の不平衡平衡変換回路は、前記１対の差動入力信号が各入力端子から入力され、前記各入力端子の中点が接地された入力伝送線路と、それぞれ前記入力伝送線路に結合され、それぞれ１対の差動信号を出力する第１および第２の出力伝送線路と、を有する。また、本発明は、１対の差動入力信号を入力して１対の差動出力信号を出力する電力分配回路であって、前記１対の差動入力信号の正相信号を入力して差動信号を出力する第１の不平衡平衡変換回路と、前記１対の差動入力信号の逆相信号を入力して差動信号を出力する第２の不平衡平衡変換回路と、前記第１及び第２の各不平衡平衡変換回路から出力される２対の差動信号を、前記正相信号及び前記逆相信号ごとに加算して前記１対の差動出力信号を出力する加算回路と、を備える電力分配回路であって、前記第１の不平衡平衡変換回路、前記第２の不平衡平衡変換回路及び前記加算回は、伝送線路を用いた第５の不平衡平衡変換回路で構成され、前記第５の不平衡平衡変換回路は、前記１対の差動入力信号の正相信号が入力される第１の入力伝送線路と、前記１対の差動入力信号の逆相信号が入力される第２の入力伝送線路と、前記第１の入力伝送線路および前記第２の入力伝送線路の両方に結合されて各出力端子から１対の差動信号を出力し、前記各出力端子の中点が接地された出力伝送線路と、を有する、電力分配回路である。
【発明の効果】
【００２６】
本発明によれば、１対の差動出力信号を出力する際、回路規模及び消費電流を増大させることなく、また、無線性能を劣化させることなく、差動出力信号間の回路誤差を低減できる。
【図面の簡単な説明】
【００２７】
【図１】第１の実施形態における電力分配回路の構成を示す回路構成図
【図２】（ａ）理想トランスに入力される不平衡入力信号を実虚数座標に示した図、（ｂ）理想トランスに入力される差動入力信号の正相信号及び逆相信号の各位相を示した図、（ｃ）一方のトランスからの出力信号である正相信号及び逆相信号の各位相を示した図、（ｄ）他方のトランスからの出力信号である正相信号及び逆相信号の各位相を示した図、（ｅ）加算回路からの出力信号である差動出力信号の正相信号及び逆相信号の各位相を示した図
【図３】（ａ）加算回路の構成の一例を示す図、（ｂ）加算回路の構成の他の一例を示す図
【図４】第２の実施形態における電力分配回路の構成を示す回路構成図
【図５】（ａ）理想トランスに入力される不平衡入力信号を実虚数座標に示した図、（ｂ）理想トランスから出力された差動信号の正相信号及び逆相信号の各位相を示した図、（ｃ）一方のトランスからの出力信号である正相信号及び逆相信号の各位相を示した図、（ｄ）他方のトランスからの出力信号である正相信号及び逆相信号の各位相を示した図、（ｅ）加算回路からの出力信号である差動出力信号の正相信号及び逆相信号の各位相を示した図
【図６】（ａ）理想トランスでないトランスに入力される不平衡入力信号を実虚数座標に示した図、（ｂ）理想トランスでないトランスから出力された差動信号の正相信号及び逆相信号の各位相を示した図、（ｃ）一方の理想トランスでないトランスからの出力信号である正相信号及び逆相信号の各位相を示した図、（ｄ）他方の理想トランスでないトランスからの出力信号である正相信号及び逆相信号の各位相を示した図、（ｅ）加算回路からの出力信号である差動出力信号の正相信号及び逆相信号の各位相を示した図
【図７】コンデンサ及びＤＣ電圧電源が接続された場合の電力分配回路の構成を示す回路構成図
【図８】（ａ）第３の実施形態における電力分配回路の構成を示す回路構成図、（ｂ）トランスの構成の一例を示す図
【図９】（ａ）第４の実施形態における電力分配回路の構成を示す回路構成図、（ｂ）トランスの構成の一例を示す図
【図１０】従来の一般的な不平衡平衡変換する回路を用いた差動増幅回路の構成を示す回路構成図
【図１１】（ａ）従来の差動増幅回路におけるトランスに基づく差動出力信号間の誤差について説明するための説明図、（ｂ）入力信号振幅Ｖｉｎを示すための説明図、（ｃ）出力信号振幅Ｖｏｕｔｐ，Ｖｏｕｔｎ及び位相θ１，θ２を示すための説明図
【図１２】（ａ）従来の不平衡平衡変換において生じる差動出力間の誤差を低減するための可変電力分配器の構成を示す回路構成図、（ｂ）従来の不平衡平衡変換において生じる差動出力間の誤差を低減するための平衡変換回路の構成を示す回路構成図
【発明を実施するための形態】
【００２８】
以下、本発明に係る電力分配回路の実施形態について、図面を参照して説明する。本実施形態の電力分配回路は、例えば、ミリ波、マイクロ波の周波数帯域の信号を、アンテナを介して受信する無線回路に適用可能である。
【００２９】
（第１の実施形態）
第１の実施形態においては、差動入力信号の位相誤差の補正について説明する。図１は、第１の実施形態における電力分配回路１０の構成を示す回路構成図である。電力分配回路１０は、平衡入力信号（差動入力信号）が入力されるトランス２Ａ，２Ｂ、及びトランス２Ａ，２Ｂから出力された各差動信号を加算して平衡出力信号（差動出力信号）を出力する加算回路３を含む構成である。トランス２Ａ，２Ｂは、それぞれ第１の不平衡平衡変換回路，第２の不平衡平衡変換回路の一例として示したものであり、それぞれ入力された差動入力信号の正相信号又は逆相信号を不平衡平衡変換して差動信号を得る。
【００３０】
本実施形態においては、説明を簡略化するために、トランス２Ａ，２Ｂは理想トランス（ｋ＝α＝１、Δθ＝０°）とする。以下、トランス２Ａ，２Ｂの結合係数をパラメータｋ、ゲイン誤差をパラメータα、位相誤差をパラメータΔθとして表す。なお、理想トランスでない場合については、後述する。
【００３１】
本実施形態においては、トランス２Ａに入力される差動入力信号の正相信号の位相をθ１、トランス２Ｂに入力される差動入力信号の逆相信号の位相をθ２−１８０°（θ１≠θ２）、結合係数ｋ＝１とする。更に、本実施形態においては、図１の電力分配回路１０に入力される差動入力信号の正相信号及び逆相信号の間に位相誤差が含まれるとする。
【００３２】
図２（ａ）は、理想トランス（トランス２Ａ，２Ｂ）に入力される不平衡入力信号を実虚数座標に示した図である。図２（ｂ）は、理想トランス（トランス２Ａ，２Ｂ）に入力される差動入力信号の正相信号及び逆相信号の各位相を示した図である。図２（ｃ）は、一方のトランス２Ａからの出力信号である正相信号及び逆相信号の各位相を示した図である。図２（ｄ）は、他方のトランス２Ｂからの出力信号である正相信号及び逆相信号の各位相を示した図である。図２（ｅ）は、加算回路３からの出力信号である差動出力信号の正相信号及び逆相信号の各位相を示した図である。
【００３３】
図２（ａ）に示す様に、不平衡入力信号（差動入力信号、Ｖｉｎ）を、実虚数座標に表した際の実軸上のベクトルとして設定すると、差動入力信号の正相信号（Ｖｏｕｔ１ｐ）の位相がθ１、差動入力信号の逆相信号（Ｖｏｕｔ１ｎ）の位相がθ２−１８０°として表される（図２（ｂ）参照）。
【００３４】
また、トランス２Ａ，２Ｂが理想トランスとする場合、理想トランスによる入出力信号間の位相シフト量は±９０°と表せる。即ち、差動入力信号の正相信号Ｖｏｕｔ１ｐのトランス２Ａの出力信号（Ｖｏｕｔ２Ａｐ，Ｖｏｕｔ２Ａｎ）は、正相信号（Ｖｏｕｔ２Ａｐ）の位相θ１＋９０°、逆相信号（Ｖｏｕｔ２Ａｎ）の位相θ１−９０°の差動出力信号として出力される（図２（ｃ）参照）。
【００３５】
同様に、差動入力信号の逆相信号Ｖｏｕｔ１ｎのトランス２Ｂの出力信号（Ｖｏｕｔ２Ｂｐ，Ｖｏｕｔ２Ｂｎ）は、正相信号（Ｖｏｕｔ２Ｂｐ）の位相θ２＋９０°、逆相信号（Ｖｏｕｔ２Ｂｎ）の位相θ２−９０°の差動出力信号として出力される（図２（ｄ）参照）。
【００３６】
加算回路３は、トランス２Ａ，２Ｂから出力された計２対の差動信号を、同じベクトル方向を持つ同相成分の差動信号をベクトル加算し、１対の差動出力信号に合成する。具体的には、加算回路３は、トランス２Ａからの正相信号（Ｖｏｕｔ２Ａｐ）とトランス２Ｂからの正相信号（Ｖｏｕｔ２Ｂｐ）とを加算して差動出力信号（Ｖｏｕｔｐ）とし、更に、トランス２Ｂからの逆相信号（Ｖｏｕｔ２Ａｎ）とトランス２Ｂからの逆相信号（Ｖｏｕｔ２Ｂｎ）とを加算して差動出力信号（Ｖｏｕｔｎ）とする。
【００３７】
本実施形態においてはトランス２Ａ，２Ｂの各振幅誤差を理想（ｋ＝α＝１）に設定しているため、２つのトランス２Ａ，２Ｂからそれぞれ出力される計２対の差動出力信号のベクトルの大きさは同じである。即ち、加算回路３から出力された正相信号（Ｖｏｕｔｐ）の位相は、（θ１＋θ２）／２＋９０°となる。加算回路３から出力された逆相信号（Ｖｏｕｔｎ）の位相は、（θ１＋θ２）／２−９０°となる。
【００３８】
これにより、本実施形態の電力分配回路１０において、加算回路３から出力された１対の差動出力信号（Ｖｏｕｔｐ，Ｖｏｕｔｎ）間の対向角の誤差である位相誤差Δθは、数式（２）により０（ゼロ）となる。
【００３９】
【数２】
0005828069.tif 000003
【００４０】
本実施形態の電力分配回路１０は、加算回路３から出力された１対の差動出力信号を、トランス２Ａ，２Ｂにおいて生じた位相誤差（θ１−θ２）が補正された差動出力信号として得ることができる。
【００４１】
図３（ａ）は、加算回路３の構成の一例を示す図である。図３（ａ）に示す様に、加算回路３は、トランス２Ａ，２Ｂからの出力信号である２対の差動入力信号（第１の差動入力信号と第２の差動入力信号）の同相成分の差動入力信号を加算して１対の差動出力信号を出力する。
【００４２】
例えば、図３（ａ）に示す様に、伝送線路８を用いて加算回路３が構成されている場合、加算回路３は、２つの同相成分（例えば正相信号Ｖｏｕｔ２Ａｐと正相信号Ｖｏｕｔ２Ｂｐ，逆相信号Ｖｏｕｔ２Ａｎと逆相信号Ｖｏｕｔ２Ｂｎ）の差動入力信号をそれぞれ同じ長さをもつ伝送線路８において結合（加算）する。更に、加算回路３は、伝送線路８の中点から結合（加算）された１対の差動出力信号を取り出すことによって、容易に１対の差動出力信号（例えばＶｏｕｔｐとＶｏｕｔｎ）を得ることができる。
【００４３】
加算回路３を、図３（ａ）の伝送線路８を用いて構成されるので、デバイスプロセス上の配線によって作製される場合、能動素子として、例えば、トランジスタを用いた場合と比較して、精度の良い、ばらつきの少ない加算回路３を作製できる。
【００４４】
また、図３（ｂ）に示す様に、各トランス２Ａ，２Ｂから出力された対角線方向（異相成分）の差動出力信号を向き合わせる様に伝送線路８を用いて加算回路３を構成した場合、加算回路３は、２つの差動出力信号間を等長配線の短い伝送線路８を結ぶことによって簡易に実現可能である。これにより、加算回路３の単体の差動出力信号間の誤差を低減できる。従って、加算回路３から出力される差動出力信号（Ｖｏｕｔｐ，Ｖｏｕｔｎ）の差動出力信号の位相誤差を低減できる。
【００４５】
第１の実施形態の電力分配回路１０によれば、差動入力信号の正相信号及び逆相信号をトランス２Ａ，２Ｂの不平衡平衡変換によってそれぞれ位相誤差を持つ２対の差動出力信号に変換し、２対の差動出力信号を加算回路３において１対の差動出力信号に合成する。これにより、電力分配回路１０は、トランス２Ａ，２Ｂから出力される２対の差動信号の誤差を正相信号及び逆相信号ごとに平均化し、加算回路３から出力された１対の差動出力信号間における回路誤差（位相誤差）を低減できる。
【００４６】
従って、電力分配回路１０は、差動出力信号間の誤差検出回路、可変ゲイン及び可変位相回路の誤差補正回路を追加して回路規模及び消費電流を増大させることなく、簡易的な回路構成により差動出力信号間の誤差を低減できる。即ち、電力分配回路１０は、差動出力信号を出力する際、回路規模及び消費電流を増大させることなく、また、無線性能を劣化させることなく、差動出力信号間の回路誤差を低減できる。
【００４７】
（第２の実施形態）
図４は、第２の実施形態における電力分配回路１０Ａの構成を示す回路構成図である。第１の実施形態と同一の構成要素については同一の符号を用いることにより、説明を省略する。
【００４８】
第２の実施形態の電力分配回路１０Ａは、第１の実施形態の電力分配回路１０と比べ、増幅器ＡＭＰ１において増幅された不平衡入力信号（シングルエンド信号）をトランス１において不平衡平衡変換して得られた差動信号を、１対の差動入力信号として増幅する回路を更に含む構成である。
【００４９】
即ち、電力分配回路１０Ａは、増幅器ＡＭＰ１、トランス１、増幅器ＡＭＰ２Ａ，２Ｂ、トランス２Ａ，２Ｂ及び加算回路３を含む構成である。増幅器ＡＭＰ１は、電力分配回路１０Ａに入力された不平衡入力信号（シングルエンド信号）を増幅する。増幅器ＡＭＰ２Ａ，ＡＭＰ２Ｂは、それぞれ第１の増幅器，第２の増幅器の一例として示したものであり、トランス１から出力された差動信号の正相信号又は逆相信号をそれぞれ増幅する。
【００５０】
また、各増幅器ＡＭＰ１，ＡＭＰ２Ａ，２Ｂにおいて増幅された信号は、入力信号が不平衡信号である場合には、不平衡信号として増幅されて出力される。
【００５１】
第３の不平衡平衡変換回路としてのトランス１は、増幅器ＡＭＰ１において増幅された不平衡信号を不平衡平衡変換して差動信号を出力する。トランス１が上述した数式（１）（図１１参照）に示す様な入出力特性を有する場合、理想トランスにおいては、出力信号である差動信号間のゲイン誤差α＝１倍、位相誤差Δθ＝θ１−θ２＝０°となり、ゲイン誤差及び位相誤差が生じないことになる。しかし、実際のトランスにおいては、差動出力信号間の配線が完全な対称配置とならないため、差動出力信号間に位相誤差が発生する。
【００５２】
トランス１からの出力信号である差動信号間に生じる位相誤差（θ１−θ２）は、第１の実施形態において説明した差動入力信号間の位相誤差と同じとなる。従って、第１の実施形態と同様、本実施形態の電力分配回路１０Ａは、加算回路３から出力される差動出力信号として、差動出力信号間における位相誤差が改善された１対の差動出力信号を得ることができる。
【００５３】
次に、第１及び第２の不平衡平衡変換回路であるトランス２Ａ及び２Ｂが理想トランスでない場合に、各トランス２Ａ及び２Ｂからの出力信号である差動信号間の誤差が生じた場合について説明する。
【００５４】
先ず、トランス２Ａ，２Ｂからの出力信号である差動信号間に発生する位相誤差について、図４を参照して説明する。
【００５５】
各増幅器ＡＭＰ１、ＡＭＰ２Ａ、ＡＭＰ２Ｂのゲインを１倍とし、トランス１を理想トランス（ｋ＝α＝１、Δθ＝０°）とし、トランス２Ａ，２Ｂの位相誤差は、各トランス２Ａ，２Ｂが同じ形状であることを想定して同値とする。即ち、ゲイン誤差α＝１倍、トランス２Ａからの差動出力信号の正相信号の位相をパラメータθ３、トランス２Ａからの差動出力信号の逆相信号の位相をθ４−１８０°（θ３≠θ４）、結合係数ｋ＝１と表すとする。
【００５６】
図５（ａ）は、理想トランス（トランス１）に入力される不平衡入力信号を実虚数座標に示した図である。図５（ｂ）は、理想トランス（トランス１）から出力された差動信号の正相信号及び逆相信号の各位相を示した図である。図５（ｃ）は、一方のトランス２Ａからの出力信号である正相信号及び逆相信号の各位相を示した図である。図５（ｄ）は、他方のトランス２Ｂからの出力信号である正相信号及び逆相信号の各位相を示した図である。図５（ｅ）は、加算回路３からの出力信号である差動出力信号の正相信号及び逆相信号の各位相を示した図である。
【００５７】
図５（ａ）に示す様に、トランス１に入力される不平衡入力信号（シングルエンド信号、Ｖｉｎ）を、実虚数座標に表した際の実軸上のベクトルとして設定すると、トランス１から出力された差動信号の正相信号（Ｖｏｕｔ１ｐ）の位相は＋９０°として表される（図５（ｂ）参照）。また、トランス１から出力された差動信号の逆相信号（Ｖｏｕｔ１ｎ）の位相が−９０°として表される（図５（ｂ）参照）。
【００５８】
トランス２Ａは、トランス１からの差動信号の正相信号（Ｖｏｕｔ１ｐ）を入力して不平衡平衡変換し、正相信号（Ｖｏｕｔ２Ａｐ）及び逆相信号（Ｖｏｕｔ２Ａｎ）を出力する（図５（ｃ）参照）。図５（ｃ）に示す様に、トランス２Ａから出力された正相信号（Ｖｏｕｔ２Ａｐ）の位相は（θ３＋９０°）、トランス２Ａから出力された逆相信号（Ｖｏｕｔ２Ａｎ）の位相は（θ４−９０°）として出力される。
【００５９】
トランス２Ｂは、トランス１からの差動信号の逆相信号（Ｖｏｕｔ１ｎ）を入力して不平衡平衡変換し、正相信号（Ｖｏｕｔ２Ｂｐ）及び逆相信号（Ｖｏｕｔ２Ｂｎ）を出力する（図５（ｄ）参照）。図５（ｄ）に示す様に、トランス２Ｂから出力された正相信号（Ｖｏｕｔ２Ｂｐ）の位相は（θ３−９０°）、トランス２Ｂから出力された逆相信号（Ｖｏｕｔ２Ｂｎ）の位相は（θ４＋９０°）として出力される。
【００６０】
加算回路３は、トランス２Ａ，２Ｂから出力された計２対の差動信号を、同じベクトル方向を持つ同相成分の差動信号をベクトル加算し、１対の差動出力信号に合成する。具体的には、加算回路３は、トランス２Ａからの正相信号（Ｖｏｕｔ２Ａｐ）とトランス２Ｂからの正相信号（Ｖｏｕｔ２Ｂｐ）とを加算して差動出力信号（Ｖｏｕｔｐ）とし、更に、トランス２Ｂからの逆相信号（Ｖｏｕｔ２Ａｎ）とトランス２Ｂからの逆相信号（Ｖｏｕｔ２Ｂｎ）とを加算して差動出力信号（Ｖｏｕｔｎ）とする。
【００６１】
１対の差動出力信号に合成した場合、トランス２Ａ，２Ｂの振幅誤差を理想（ｋ＝α＝１）に設定しているため、２つのトランス２Ａ，２Ｂから出力される２対の差動信号のベクトルの大きさは、同じ大きさとなる。
【００６２】
即ち、加算回路３から出力される１対の差動出力信号の正相信号（Ｖｏｕｔｐ）の位相は（θ３＋θ４）／２＋９０°となり、逆相信号（Ｖｏｕｔｎ）の位相は（θ３＋θ４）／２−９０°となる。これにより、本実施形態の電力分配回路１０Ａにおいて、加算回路３から出力された１対の差動出力信号（Ｖｏｕｔｐ，Ｖｏｕｔｎ）間の対向角の誤差である位相誤差Δθは、数式（３）により０（ゼロ）となる。
【００６３】
【数３】
0005828069.tif 000004
【００６４】
本実施形態の電力分配回路１０Ａは、加算回路３から出力された１対の差動出力信号を、トランス２Ａ，２Ｂにおいて生じた位相誤差（θ３−θ４）が補正された差動出力信号として得ることができる。
【００６５】
次に、全てのトランス１，２Ａ，２Ｂが理想トランスでない場合に、各トランス１，２Ａ，２Ｂからの出力信号である差動信号間に誤差が生じた場合について説明する。
【００６６】
トランス１，２Ａ，２Ｂからの出力信号である差動信号間に発生する位相誤差について、図４を参照して説明する。
【００６７】
各増幅器ＡＭＰ１、ＡＭＰ２Ａ、ＡＭＰ２Ｂのゲインを１倍とし、トランス２Ａ，２Ｂの位相誤差は、各トランス２Ａ，２Ｂが同じ形状であることを想定して同値とする。即ち、ゲイン誤差α＝１倍、トランス１からの差動出力信号の正相信号の位相をパラメータθ１、トランス１からの差動出力信号の逆相信号の位相をθ２−１８０°（θ１≠θ２）、トランス２Ａからの差動出力信号の正相信号の位相をパラメータθ３、トランス２Ａからの差動出力信号の逆相信号の位相をθ４−１８０°（θ３≠θ４）、結合係数ｋ＝１と表すとする。
【００６８】
図６（ａ）は、理想トランスでないトランス１に入力される不平衡入力信号を実虚数座標に示した図である。図６（ｂ）は、理想トランスでないトランス１から出力された差動信号の正相信号及び逆相信号の各位相を示した図である。図６（ｃ）は、一方の理想トランスでないトランス２Ａからの出力信号である正相信号及び逆相信号の各位相を示した図である。図６（ｄ）は、他方の理想トランスでないトランス２Ｂからの出力信号である正相信号及び逆相信号の各位相を示した図である。図６（ｅ）は、加算回路３からの出力信号である差動出力信号の正相信号及び逆相信号の各位相を示した図である。
【００６９】
図６（ａ）に示す様に、トランス１に入力される不平衡入力信号（シングルエンド信号、Ｖｉｎ）を、実虚数座標に表した際の実軸上のベクトルとして設定すると、トランス１から出力された差動信号の正相信号（Ｖｏｕｔ１ｐ）の位相は＋９０°ではなくθ１として表される（図２（ｂ）及び図５（ｂ）参照）。また、トランス１から出力された差動信号の逆相信号（Ｖｏｕｔ１ｎ）の位相は−９０°ではなく−θ２として表される（図２（ｂ）及び図５（ｂ）参照）。
【００７０】
トランス２Ａは、トランス１からの差動信号の正相信号（Ｖｏｕｔ１ｐ）を入力して不平衡平衡変換し、正相信号（Ｖｏｕｔ２Ａｐ）及び逆相信号（Ｖｏｕｔ２Ａｎ）を出力する（図６（ｃ）参照）。図６（ｃ）に示す様に、トランス２Ａから出力された正相信号（Ｖｏｕｔ２Ａｐ）の位相は、図５（ｃ）の正相信号（Ｖｏｕｔ２Ａｐ）の位相が（９０°−θ１）減少する方向に回転することによって（θ３−９０°＋θ１）となる。更に、トランス２Ａから出力された逆相信号（Ｖｏｕｔ２Ａｎ）の位相は、同様に図５（ｃ）の逆相信号（Ｖｏｕｔ２Ａｎ）の位相が（９０°−θ１）減少する方向に回転することによって（θ４−９０°＋θ１）となる。
【００７１】
トランス２Ｂは、トランス１からの差動信号の逆相信号（Ｖｏｕｔ１ｎ）を入力して不平衡平衡変換し、正相信号（Ｖｏｕｔ２Ｂｐ）及び逆相信号（Ｖｏｕｔ２Ｂｎ）を出力する（図６（ｄ）参照）。図６（ｄ）に示す様に、トランス２Ｂから出力された正相信号（Ｖｏｕｔ２Ｂｐ）の位相は、図５（ｄ）の正相信号（Ｖｏｕｔ２Ｂｐ）の位相が（９０°−θ２）減少する方向に回転することによって（θ３−９０°＋θ２）となる。更に、トランス２Ｂから出力された逆相信号（Ｖｏｕｔ２Ｂｎ）の位相は、同様に図５（ｄ）の逆相信号（Ｖｏｕｔ２Ｂｎ）の位相が（９０°−θ２）減少する方向に回転することによって（θ４−９０°＋θ２）となる。
【００７２】
加算回路３は、トランス２Ａ，２Ｂから出力された計２対の差動信号を、同じベクトル方向を持つ同相成分の差動信号をベクトル加算し、１対の差動出力信号に合成する。具体的には、加算回路３は、トランス２Ａからの正相信号（Ｖｏｕｔ２Ａｐ）とトランス２Ｂからの正相信号（Ｖｏｕｔ２Ｂｐ）とを加算して差動出力信号（Ｖｏｕｔｐ）とし、更に、トランス２Ｂからの逆相信号（Ｖｏｕｔ２Ａｎ）とトランス２Ｂからの逆相信号（Ｖｏｕｔ２Ｂｎ）とを加算して差動出力信号（Ｖｏｕｔｎ）とする。
【００７３】
１対の差動出力信号に合成した場合、トランス２Ａ，２Ｂの振幅誤差を理想（ｋ＝α＝１）に設定しているため、２つのトランス２Ａ，２Ｂから出力される２対の差動信号のベクトルの大きさは、同じ大きさとなる。
【００７４】
即ち、加算回路３から出力される１対の差動出力信号の正相信号（Ｖｏｕｔｐ）の位相は（θ１＋θ２＋θ３＋θ４−１８０°）／２となり、逆相信号（Ｖｏｕｔｎ）の位相も（θ１＋θ２＋θ３＋θ４−１８０°）／２となる。これにより、本実施形態の電力分配回路１０Ａにおいて、加算回路３から出力された１対の差動出力信号（Ｖｏｕｔｐ，Ｖｏｕｔｎ）間の対向角の誤差である位相誤差Δθは、数式（４）により０（ゼロ）となる。
【００７５】
【数４】
0005828069.tif 000005
【００７６】
本実施形態の電力分配回路１０Ａは、加算回路３から出力された１対の差動出力信号を、トランス１，２Ａ，２Ｂにおいて生じた位相誤差｛（θ１−θ２），（θ３−θ４）｝が補正された差動出力信号として得ることができる。
【００７７】
次に、トランス２Ａ，２Ｂからの出力信号である差動信号間に発生する振幅誤差について、図４を参照して説明する。トランス２Ａ，２Ｂの振幅誤差について説明するため、各トランス２Ａ，２Ｂの結合係数ｋ＝１であって、位相誤差Δθは理想的に０°（ゼロ度）とする。
【００７８】
トランス１からの出力信号である差動信号の正相信号（Ｖｏｕｔ１ｐ）の振幅はＶｉｎ／２であり、トランス１からの出力信号である差動信号の逆相信号（Ｖｏｕｔ１ｎ）の振幅は（Ｖｉｎ／２）＊αである。
【００７９】
トランス２Ａからの出力信号である差動信号の正相信号（Ｖｏｕｔ２Ａｐ）の振幅は、（Ｖｉｎ／４）＊αとなり、トランス２Ａからの出力信号である差動信号の逆相信号（Ｖｏｕｔ２Ａｎ）の振幅はＶｉｎ／４となる。なお、トランス２Ａには、トランス１からの出力信号である差動信号の正相信号（Ｖｏｕｔ１ｐ）が入力されている。
【００８０】
更に、トランス２Ｂからの出力信号である差動信号の正相信号（Ｖｏｕｔ２Ｂｐ）の振幅は（Ｖｉｎ／４）＊αとなり、トランス２Ｂからの出力信号である差動信号の逆相信号（Ｖｏｕｔ２Ｂｎ）の振幅は（Ｖｉｎ／４）＊α２となる。なお、トランス２Ｂには、トランス１からの出力信号である差動信号の逆相信号（Ｖｏｕｔ１ｎ）が入力されている。
【００８１】
加算回路３からの出力信号である差動出力信号の正相信号（Ｖｏｕｔｐ）の振幅は、トランス２Ａからの差動信号の正相信号（Ｖｏｕｔ２Ａｐ）の振幅とトランス２Ｂからの差動信号の正相信号（Ｖｏｕｔ２Ｂｐ）の振幅との加算によって、（Ｖｉｎ／４）＊２αとなる。更に、加算回路３からの出力信号である差動出力信号の逆相信号（Ｖｏｕｔｎ）の振幅は、トランス２Ａからの差動信号の逆相信号（Ｖｏｕｔ２Ａｎ）の振幅とトランス２Ｂからの差動信号の逆相信号（Ｖｏｕｔ２Ｂｎ）の振幅との加算によって、Ｖｉｎ／４＊（１＋α２）となる。なお、加算回路３から出力される差動出力信号の正相信号及び逆相信号を、１対の差動出力信号と呼ぶ。
【００８２】
図１０に示す様に１つのトランスを用いて不平衡平衡変換した場合、トランス１の出力と同様に、加算回路３からの差動出力信号における正相信号及び逆相信号間の振幅誤差（ΔＶとする）は、ΔＶ＝Ｖｉｎ＊（１−α）／２となる。一方、本実施形態の様に、図４の電力分配回路１０Ａの構成においては、差動出力信号における正相信号及び逆相信号間の振幅誤差ΔＶは、ΔＶ＝Ｖｉｎ＊（（１−α）／２）２となる。
【００８３】
従って、図４の電力分配回路１０Ａの加算回路３から出力された１対の差動出力信号においては、図１０の様に１つのトランスを用いて不平衡平衡変換する場合と比較して、差動出力信号間の誤差が２乗精度（ばらつき量の２乗の割合に反比例する精度）で改善できる。
【００８４】
例えば、α＝０．９では、１つのトランスの差動出力信号間の振幅誤差ΔＶはΔＶ＝１／２０となるが、図４の電力分配回路１０Ａの構成の不平衡平衡変換においては、差動出力信号間の振幅誤差ΔＶはΔＶ＝１／４００となり、振幅誤差ΔＶが補正された出力信号を得ることができる。
【００８５】
第２の実施形態の電力分配回路１０Ａによれば、第１及び第２の不平衡平衡変換回路（トランス２Ａ，２Ｂ）において生じる差動信号間における振幅誤差及び位相誤差を持つ２対の差動信号を加算回路３において１対の差動出力信号に加算（合成）する。
【００８６】
従って、電力分配回路１０Ａは、第１及び第２の不平衡平衡変換回路（トランス２Ａ，２Ｂ）から出力される２対の差動信号の誤差を正相信号及び逆相信号ごとに平均化し、加算回路３から出力された１対の差動出力信号間における回路誤差（位相誤差Δθ、振幅誤差ΔＶ）を低減できる。特に振幅誤差ΔＶについては、第１及び第２の不平衡平衡変換回路（トランス２Ａ，２Ｂ）において不平衡平衡変換するため、図１０の様に１つの不平衡平衡変換回路（トランス）を用いて不平衡平衡変換する場合と比較して、１対の差動出力信号間の誤差が２乗精度で改善できる。
【００８７】
従って、電力分配回路１０Ａは、差動出力信号間の誤差検出回路、可変ゲイン及び可変位相回路の誤差補正回路を追加して回路規模及び消費電流を増大させることなく、簡易的な回路構成を用いて差動出力信号間の誤差を低減できる。
【００８８】
なお、不平衡平衡変換するトランス１、２Ａ、２Ｂにおいては、無入力となる入力端子、及び、差動信号の正相信号及び逆相信号の出力端子の中間点は、グランド（ＧＮＤ）に接続されている。また、入力端子及び中間点に、入力信号の周波数においてＡＣ的にＧＮＤ接続となるコンデンサが接続されてもよい。図７は、コンデンサ及びＤＣ電圧電源が接続された場合の電力分配回路１０Ａの構成を示す回路構成図である。
【００８９】
図７の電力分配回路１０Ａにおいて、上述した中間点と接地点との間、入力端子と接地点との間には、それぞれコンデンサ４Ａ、４Ｂが介在されている。また、増幅器２Ａ、２ＢはＦＥＴ（Field Effect Transistor）を用いて構成されている。また、ＤＣ電圧電源（定電圧電源）５Ａ、５Ｂは、ＡＣ（Alternating Current：交流）的にＧＮＤ接続となるコンデンサ４Ａ、４Ｂとそれぞれ並列に接続され、電源となるＤＣ電圧を供給可能である。
【００９０】
ＤＣ電圧電源５Ａはバイアス電圧を供給し、ＤＣ電圧電源５Ｂは電源電圧を供給する。バイアス電圧及び電源電圧は、トランスをＤＣ供給用の負荷として用いるために、トランジスタであるＦＥＴに直接供給される。
【００９１】
このため、トランジスタであるＦＥＴにおいては、バイアス電圧及び電源電圧を供給する回路を省略でき、さらなる回路面積を削減できる。すなわち、増幅器において必要となるバイアス電圧及び電源電圧の供給に必要な負荷回路を削減し、回路の簡素化及び回路面積を縮小できる。
【００９２】
（第３の実施形態）
図８（ａ）は、第３の実施形態における電力分配回路１０Ｂの構成を示す回路構成図である。第２の実施形態と同一の構成要素については同一の符号を用いることにより、説明を省略する。
【００９３】
図８（ａ）に示す様に、第３の実施形態の電力分配回路１０Ｂは、第２の実施形態と比べ、トランス２Ａ，２Ｂの代わりに、トランス２Ｃを設けた構成である。具体的には、電力分配回路１０Ｂは、増幅器ＡＭＰ１、トランス１、増幅器ＡＭＰ２Ａ，２Ｂ、トランス２Ｃ及び加算回路３を含む構成である。トランス２Ｃは、第４の不平衡平衡変換回路の一例として示したものであり、増幅器ＡＭＰ２Ａの出力信号である正相信号及び増幅器ＡＭＰ２Ｂの出力信号である逆相信号を１対の差動信号として入力し、入力された正相信号及び逆相信号を不平衡平衡変換して１対の差動出力信号を出力する。
【００９４】
第１の実施形態においては、差動入力信号の正相信号及び逆相信号がトランス２Ａ及び２Ｂにそれぞれ入力される。差動入力信号の正相信号及び逆相信号間にゲイン又は位相の誤差が生じた場合には、各トランス２Ａ，２Ｂの入力端において誤差が補正されずにトランス２Ａ，２Ｂにより差動信号に変換される。
【００９５】
第３の実施形態のトランス２Ｃにおいては、トランス２Ｃに入力された１対の差動入力信号は、トランス２Ｃにおいて各入力端子から同じゲイン及び位相の各特性による変化の後、中点としてＡＣ（交流）的に結合されたＧＮＤ接地点において結合（加算）される。
【００９６】
従って、トランス２Ｃへの差動入力信号のトランス２Ｃの入力端において含まれる誤差は、中点としてＡＣ（交流）的に結合されたＧＮＤ接地点においてＧＮＤ電位となるように補正されることによって低減する。更に、トランス２Ｃによる入出力信号の結合により１対の差動出力信号に変換されるため、トランス２Ｃの差動出力信号端においては、誤差はさらに低減する。
【００９７】
第３の実施形態の電力分配回路１０Ｂは、第２の実施形態と比べ、ゲイン又は位相の各誤差が低減した差動出力信号を、トランスの回路面積を削減しつつ得ることができる。即ち、本実施形態の電力分配回路１０Ｂによれば、増幅器の出力に接続される不平衡平衡変換回路（トランス２Ｃ）を１つにでき、不平衡平衡変換回路の性能ばらつきによる差動出力間誤差を低減し、かつ回路面積を縮小できる。
【００９８】
また、図８（ｂ）に示すように、トランス２Ｃは伝送線路を用いて構成される。図８（ｂ）は、トランス２Ｃの構成の一例を示す図である。即ち、トランス２Ｃにおいては、１対の差動入力信号（Ｖｉｎｐ，Ｖｉｎｎ）の中点を接地（ＧＮＤ）した１つの伝送線路１６に対し、２対の差動出力信号がそれぞれ１つの伝送線路１７，１８において結合される。伝送線路１６は１本の入力伝送線路に相当し、伝送線路１７、１８は２本の出力伝送線路に相当する。
【００９９】
図８（ｂ）のトランス２Ｃの構成においては、１対の差動入力信号のそれぞれの入力端子からＧＮＤ接地点までの伝送線路の長さのほぼ半分の長さが、２対の差動出力信号のそれぞれの出力端子からＧＮＤ接地点までの伝送線路の長さとなる。
【０１００】
差動出力信号は、ＧＮＤ接地点を中心に図８（ｂ）の矢印にて表した電流の向きに流れ込む電流値と流れ出す電流とが釣り合うように、電磁誘導により生成される。このため、トランス２Ｃは、同じゲイン及び位相特性を有する２対の差動出力信号を得ることができる。
【０１０１】
トランス２Ｃは、伝送線路を用いて構成されるので、デバイスプロセス上の配線によって作製される場合、能動素子として、例えば、トランジスタを用いた場合と比較すると、精度の良い、ばらつきの少ない、２対の差動出力信号を生成するトランスを得ることができる。
【０１０２】
例えば、シリコンプロセスを用いた、ばらつきの少ない３本の伝送線路の結合によってトランスを形成できる。従って、不平衡平衡変換回路の性能ばらつきによる差動出力間誤差を低減し、かつ回路面積を縮小できる。
【０１０３】
なお、図８（ｂ）においては、１対の差動入力信号のそれぞれの入力端子からＧＮＤ接地点までの伝送線路長さのほぼ半分の長さが、２対の差動出力信号のそれぞれの出力端子からＧＮＤ接地点までの伝送線路の長さである。更に、それぞれの伝送線路の長さを調節することで、各入出力信号が接続される回路の整合を最適化し、インピーダンスの整合回路を削減できる。
【０１０４】
（第４の実施形態）
図９（ａ）は、第４の実施形態における電力分配回路１０Ｃの構成を示す回路構成図である。第２の実施形態と同一の構成要素については同一の符号を用いることにより、説明を省略する。
【０１０５】
図９（ａ）に示す様に、第４の実施形態の電力分配回路１０Ｃは、第２の実施形態と比べ、トランス２Ａ，２Ｂ及び加算回路３の代わりに、トランス２Ｄを設けた構成である。具体的には、電力分配回路１０Ｃは、増幅器ＡＭＰ１、トランス１、増幅器ＡＭＰ２Ａ，２Ｂ、及びトランス２Ｄを含む構成である。トランス２Ｄは、第５の不平衡平衡変換回路の一例として示したものであり、増幅器ＡＭＰ２Ａの出力信号である正相信号及び増幅器ＡＭＰ２Ｂの出力信号である逆相信号を１対の差動信号として入力し、入力された正相信号及び逆相信号を不平衡平衡変換して１対の差動出力信号を出力する。
【０１０６】
第１の実施形態においては、差動入力信号の正相信号及び逆相信号がトランス２Ａ及び２Ｂにそれぞれ入力される。差動入力信号の正相信号及び逆相信号間にゲイン又は位相の誤差が生じた場合には、各トランス２Ａ，２Ｂの入力端において誤差が補正されずにトランス２Ａ，２Ｂによる差動出力信号に変換される。更に、各トランス２Ａ，２Ｂの差動出力信号間の誤差を低減するために、加算回路３が必要となる。
【０１０７】
第４の実施形態のトランス２Ｄにおいては、入力された差動信号の正相信号は差動出力信号の正相信号及び逆相信号と結合（加算）して出力され、更に、入力された差動入力信号の逆相信号も差動出力信号の正相信号及び逆相信号と結合（加算）して出力される。即ち、トランス２Ｄは、入出力信号間を結合させるトランス回路であり、上述した各実施形態における加算回路３の機能も有する。
【０１０８】
第４の実施形態における電力分配回路１０Ｃは、上述した各実施形態における加算回路３を追加せずに回路面積を削減しつつ、トランス２Ｄにおいて発生する差動出力信号間の誤差を低減できる。即ち、増幅器の出力に接続される不平衡平衡変換回路及び加算回路を１つの不平衡平衡変換回路（トランス２Ｄ）を用いて構成でき、不平衡平衡変換回路の性能ばらつきによる差動出力間誤差を低減し、かつ回路面積を縮小できる。
【０１０９】
また、トランス２Ｄの差動入力信号の正相信号及び逆相信号は、差動出力信号を経由して結合し、各入力端子から同じゲイン及び位相の各特性による変化の後にＧＮＤに接続（接地）される。従って、差動入力信号の中点をＡＣ的にＧＮＤ接地点において結合したと見なすことができる。
【０１１０】
即ち、差動入力信号のトランス２Ｄの入力端において含まれる誤差は、トランス２Ｄ内の電磁誘導によりトランス２Ｄによる差動出力信号の結合前にＧＮＤ接地点において低減される。これにより、入出力信号変換後の差動出力信号への誤差の影響を改善できる。よって、本実施形態の電力分配回路１０Ｃによれば、ゲイン及び位相の各誤差を低減しつつ、回路面積を削減できる。
【０１１１】
また、図９（ｂ）に示すように、トランス２Ｄは伝送線路を用いて構成される。図９（ｂ）は、トランス２Ｄの構成の一例を示す図である。即ち、トランス２Ｄにおいては、１対の差動入力信号の正相信号及び逆相信号（Ｖｉｎｐ，Ｖｉｎｎ）は、それぞれ伝送線路２６、２７の負荷を通してＡＣ的にＧＮＤに接続（接地）される。
【０１１２】
図９（ｂ）のトランス２Ｄの構成においては、各入力端子からＧＮＤ接地点までの伝送線路の長さのほぼ半分の長さが、１対の差動出力信号の正相信号及び逆相信号の出力端子からＧＮＤ接地点までの伝送線路の長さとなる。
【０１１３】
また、差動入力信号の２本の伝送線路２６、２７と差動出力信号の１本の伝送線路２８とが、互いに逆向きの電流が結合して流れるように配置される。これにより、ＧＮＤ接地点を中心に図９（ｂ）の矢印によって表した電流の向きに流れ込む電流値と流れ出す電流値とが釣り合うように、１対の差動出力信号は電磁誘導により生成される。
【０１１４】
これにより、トランス２Ｄは、同じゲイン及び位相の各特性を持つ１対の差動出力信号を得ることができる。なお、伝送線路２６、２７は２本の入力伝送線路に相当し、伝送線路２８は１本の出力伝送線路に相当する。
【０１１５】
また、トランス２Ｄは伝送線路を用いて構成されるので、デバイスプロセス上の配線によって作製した場合、能動素子として、例えば、トランジスタを用いた場合と比較して、精度の良い、ばらつきの少ない１対の差動出力信号を生成できる。また、加算回路の機能を持たせることかできる。
【０１１６】
例えば、シリコンプロセスを用いたばらつきの少ない３本の伝送線路の結合によってトランスを形成でき、不平衡平衡変換回路の性能ばらつきによる差動出力間誤差を低減し、かつ回路面積を縮小できる。
【０１１７】
以上、図面を参照しながら各種の実施の形態について説明したが、本発明はかかる例に限定されないことは言うまでもない。当業者であれば、特許請求の範囲に記載された範疇内において、各種実施の形態の変更例または修正例、更に各種実施の形態の組み合わせ例に想到し得ることは明らかであり、それらについても当然に本発明の技術的範囲に属するものと了解される。
【０１１８】
例えば、前記第２の実施形態において、トランス１、２Ａ、２Ｂでは、無入力となる入力端子、及び、差動出力信号の正相及び逆相信号の出力端子の中間点は、入力信号の周波数においてＡＣ的にＧＮＤ接続となるコンデンサに接続される場合を示した。このことは、第１、第３、第４の実施形態においても同様に適用可能である。
【０１１９】
また、増幅器としては、ＦＥＴの他、バイポーラトランジスタを用いてもよい。
【産業上の利用可能性】
【０１２０】
本発明は、差動入力信号から１対の差動出力信号を出力する際、回路規模及び消費電流を増大させることなく、また、無線性能を劣化させることなく、差動出力信号間の回路誤差を低減できる電力分配回路として有用である。
【符号の説明】
【０１２１】
１、２Ａ、２Ｂ、２Ｃ、２Ｄ  トランス
３  加算回路
４Ａ、４Ｂ  コンデンサ
５Ａ、５Ｂ  定電圧電源
８、１６、１７、１８、２６、２７、２８  伝送線路
１０、１０Ａ、１０Ｂ、１０Ｃ  電力分配回路
ＡＭＰ１、ＡＭＰ２Ａ、ＡＭＰ２Ｂ  増幅器
【図１】
0005828069.tif 000006
【図２】
0005828069.tif 000007
【図３】
0005828069.tif 000008
【図４】
0005828069.tif 000009
【図５】
0005828069.tif 000010
【図６】
0005828069.tif 000011
【図７】
0005828069.tif 000012
【図８】
0005828069.tif 000013
【図９】
0005828069.tif 000014
【図１０】
0005828069.tif 000015
【図１１】
0005828069.tif 000016
【図１２】
0005828069.tif 000017